(57)【特許請求の範囲】
【請求項１】
ドラムに巻き付けられた版材に二次元画像を記録する円筒外面走査型の画像記録装置に用いられ、版材をドラムの外周面上に吸着固定させるための版材吸着機構であって、
その内部が中空で、その外周面に複数の吸着孔が形成された円筒形状のドラム、および
前記ドラムの内部から空気を吸引して外部に排出する空気排出手段を備え、
前記ドラムの外周面上において、
最小サイズの版材が巻き付けられる第１のエリアと、
前記第１のエリアを包含し、最大サイズの版材が巻き付けられる第２のエリアとが決められており、
前記第１のエリアを除く前記第２のエリア内には、当該第１のエリア内と比べ、径のより小さな吸着孔が設けられていることを特徴とする、版材吸着機構。
【請求項２】
各前記吸着孔が直円柱形状に形成されている、請求項１に記載の版材吸着機構。
【請求項３】
前記第１のエリアを除く前記第２のエリア内に設けられている吸着孔が、前記ドラムの外周面寄りにある第１の直円柱部分と、当該外周面とは反対側の内周面寄りにある第２の直円柱部分とからなり、
前記第１の直円柱部分は、前記第１のエリア内に設けられている吸着孔と同じ径を有し、前記第２の直円柱部分だけが、前記第１のエリア内に設けられている吸着孔よりも小さな径を有することを特徴とする、請求項２に記載の版材吸着機構。
【請求項４】
前記第１のエリアを除く前記第２のエリア内には、当該第１のエリア内と比べ、より低い密度で吸着孔が設けられていることを特徴とする、請求項１に記載の版材吸着機構。
【請求項５】
前記ドラムの外周面上には、各前記吸着孔を通過する吸着溝が形成されていることを特徴とする、請求項１または４に記載の版材吸着機構。
【請求項６】
ドラムに巻き付けられた版材に二次元画像を記録する円筒外面走査型の画像記録装置に用いられ、版材をドラムの外周面上に吸着固定させるための版材吸着機構であって、
その内部が中空で、その外周面に複数の吸着孔が形成された円筒形状のドラム、および
前記ドラムの内部から空気を吸引して外部に排出する空気排出手段を備え、
前記ドラムの外周面上において、
最小サイズの版材が巻き付けられる第１のエリアと、
前記第１のエリアを包含し、最大サイズの版材が巻き付けられる第２のエリアとが決められており、
前記第１のエリアを除く前記第２のエリア内には、当該第１のエリア内と比べ、より低い密度で吸着孔が設けられていることを特徴とする、版材吸着機構。
【請求項７】
円筒形状のドラムを回転させつつ、画像信号で変調されたレーザ光をドラムへ向けて照射する描画部をドラムの回転軸と平行に移動させることにより、ドラムに巻き付けられた版材に二次元画像を記録する円筒外面走査型の画像記録装置であって、
その内部が中空で、その外周面に複数の吸着孔が形成された円筒形状のドラム、
前記ドラムを回転させるための第１の駆動部、
前記ドラムの内部から空気を吸引して外部に排出する空気排出手段、
画像信号で変調されたレーザ光を前記ドラムへ向けて照射する描画部、および
前記描画部を前記ドラムの回転軸と平行に移動させる第２の駆動部を備え、
前記ドラムの外周面上において、
最小サイズの版材が巻き付けられる第１のエリアと、
前記第１のエリアを包含し、最大サイズの版材が巻き付けられる第２のエリアとが決められており、
前記第１のエリアを除く前記第２のエリア内には、当該第１のエリア内と比べ、径のより小さな吸着孔が設けられていることを特徴とする、画像記録装置。
【請求項８】
円筒形状のドラムを回転させつつ、画像信号で変調されたレーザ光をドラムへ向けて照射する描画部をドラムの回転軸と平行に移動させることにより、ドラムに巻き付けられた版材に二次元画像を記録する円筒外面走査型の画像記録装置であって、
その内部が中空で、その外周面に複数の吸着孔が形成された円筒形状のドラム、
前記ドラムを回転させるための第１の駆動部、
前記ドラムの内部から空気を吸引して外部に排出する空気排出手段、
画像信号で変調されたレーザ光を前記ドラムへ向けて照射する描画部、および
前記描画部を前記ドラムの回転軸と平行に移動させる第２の駆動部を備え、
前記ドラムの外周面上において、
最小サイズの版材が巻き付けられる第１のエリアと、
前記第１のエリアを包含し、最大サイズの版材が巻き付けられる第２のエリアとが決められており、
前記第１のエリアを除く前記第２のエリア内には、当該第１のエリア内と比べ、より低い密度で吸着孔が設けられていることを特徴とする、画像記録装置。
【発明の詳細な説明】
【０００１】
【発明の属する技術分野】
本発明は、版材吸着機構に関し、より特定的には、ドラムに巻き付けられた版材に二次元画像を記録する円筒外面走査型の画像記録装置に用いられ、版材をドラムの外周面上に吸着固定させるための版材吸着機構に関する。
【０００２】
【従来の技術】
従来より、円筒形状のドラムを回転させつつ、画像信号で変調されたレーザ光をドラムへ向けて照射する描画部をドラムの回転軸と平行に移動させることにより、ドラムに巻き付けられた版材に二次元画像を記録する円筒外面走査型の画像記録装置が知られている。あるいは、半円筒形のドラムの内周面に版材を吸着固定し、該固定された版材に対して画像信号で変調されたレーザ光を照射する描画部をドラムの中心軸と平行に移動させることにより、ドラム内周面に固定された版材に二次元画像を記録する円筒内面走査型の画像記録装置が知られている。
【０００３】
図６は、従来の円筒外面走査型画像記録装置の全体構成を示す図である。図６において、ドラム１の外周面１ａには、シート状の版材２が巻き付けられている。版材２は、典型的にはアルミ板で構成され、表面に感光材料が塗布されている。ドラム１は、版材２と共に、主走査モータ３によって駆動され、主走査方向Ｘに一定速度で回転される。
【０００４】
ドラム１において、主走査モータ３と反対側の端部近傍には、ブロア４が取り付けられる。これらドラム１およびブロア４によって、版材２をドラム１の外周面１ａ上に吸着固定させるための版材吸着機構が構成される。すなわち、ドラム１の外周面１ａの、版材２が巻かれるエリアには、多数の吸着孔（図示せず）が設けられている。ブロア４は、ドラム１内の空気を吸引して外部に排出する。こうしてブロア４がドラム１内の空気を吸引排出することによって、ドラム１の内外で気圧差が生じ、その結果、版材２がドラムの外周面１ａに吸着固定される。
【０００５】
描画部５は、画像データ１２を受け、その画像データ１２で変調されたレーザ光をドラム１に向けて出力する。このレーザ光は、ドラム１の回転によって、その外周面１ａに巻かれた版材２上を主走査方向Ｘに沿って走査する。また、描画部５は、副走査モータ７により回転駆動される副走査送りネジ８によりレール（図示せず）上を定速移動される。このため、レーザ光は、版材２上を副走査方向Ｙに沿って走査する。従って、版材２上には、主走査方向Ｘおよび副走査方向Ｙに拡がりを有する二次元画像が形成される。こうして画像が形成された版材２（これを刷版と呼ぶ）を用いて印刷が行われる。
【０００６】
【発明が解決しようとする課題】
さて、最近では、様々なサイズの版材が提供されており、画像記録装置には、どのサイズの版材にも対応可能なことが求められる。例えば、上記のように構成された従来の画像記録装置では、使用可能な版材２の最大サイズおよび最小サイズが決められており、それらの間の任意サイズの版材２に画像を記録することができる。ここでは、版材２のサイズによって、版材２がドラムの外周面１ａに吸着される強度が不足する問題点に注目する。
【０００７】
図７は、図６に示されるドラムの外周面１ａの展開図である。図７において、点線で囲まれたエリア２１は、最大サイズの版材２が巻き付けられる領域であり、エリア２２は、最小サイズの版材２が巻き付けられる領域である。
【０００８】
従来の版材吸着機構では、図７に示すように、ドラムの外周面１ａには、最大サイズの版材２が巻き付けられるエリア２１内に、多数の吸着孔２３がまんべんなく設けられている。また、各吸着孔２３を通過する溝２４が形成されており、各吸着孔２３からの吸引力が二次元的に拡がる（すなわち、版材２が線吸着される）ので、吸着孔２３のみによる点吸着と比べて、版材２がより強固に吸着固定される。従って、ドラム１の回転速度がさほど高速でなければ、最小サイズから最大サイズまでの範囲内の任意のサイズの版材２を、ブロア４の吸引力によってドラムの外周面１ａ上に固定することができる。
【０００９】
ところが、最大よりも小さなサイズの版材２を用いる場合には、版材２によって覆われていない吸着孔２３（洩れ孔）からドラム１内に多くの空気が入り込む現象が起こる。洩れ孔からドラム１内に空気が入り込むと、ドラム１内外の気圧差が小さくなり、その結果、版材２が外周面１ａに吸着される強度が不足する。吸着強度が不足していると、ドラム１を高速回転させたとき、版材１に加わる半径方向ｒ（すなわち、ドラム１の中心から外周面１１ａへ向かう方向）の遠心力に耐えきれずに、版材２がドラムの外周面１ａから脱落する恐れがある。
【００１０】
この洩れ孔の存在による吸着強度不足を解決するには、例えば、洩れ孔からの空気の侵入を補って余りあるような、より吸引力の強いブロア４を用いることが考えられる。あるいは、ドラム内部を複数の部屋に区切って、洩れ孔の下方にある部屋にブロア４の吸引力が及ばないようにしてもよい。
【００１１】
しかしながら、前者の方法では、吸引力の強いブロア４を用いるので、版材吸着機構の価格が高くなる上、無駄な電力消費が発生する。後者の方法では、ドラム１の内部を複数の部屋に区切って各区部屋にバルブを設けた上、版材のサイズに応じてバルブを開閉する機構や制御回路等も必要となるので、ドラム１内部の構成が複雑となり、版材吸着機構の価格が大幅に高くなることは避けられない。
【００１２】
それゆえに、本発明の目的は、円筒外面走査型画像記録装置に用いられ、従来と同じ吸引力で様々なサイズの版材をドラムの外周面に強く吸着固定することができるような、安価な版材吸着機構を提供することである。
【００１３】
【課題を解決するための手段および発明の効果】
第１の発明は、ドラムに巻き付けられた版材に二次元画像を記録する円筒外面走査型の画像記録装置に用いられ、版材をドラムの外周面上に吸着固定させるための版材吸着機構であって、
その内部が中空で、その外周面に複数の吸着孔が形成された円筒形状のドラム、および
ドラムの内部から空気を吸引して外部に排出するブロアを備え、
ドラムの外周面上において、
最小サイズの版材が巻き付けられる第１のエリアと、
第１のエリアを包含し、最大サイズの版材が巻き付けられる第２のエリアとが決められており、
第１のエリアを除く第２のエリア内には、当該第１のエリア内と比べ、径のより小さな吸着孔が設けられていることを特徴とする。
【００１４】
上記第１の発明では、最大よりも小さなサイズの版材を用いる場合、版材によって覆われていない吸着孔（洩れ孔）からドラム内に空気が入り込むものの、洩れ孔の径が従来より小さいので、入り込む空気の量が少なく抑えられる。そのため、ブロアの吸引力が従来と同じであっても、ドラムの内外気圧差が大きく保たれ、版材がドラムの外周面に吸着される強度が従来より高くなる。その結果、ドラムを高速回転させたとき、版材がドラムの外周面から脱落する危険が少なくなる。
【００１５】
ここで、吸着孔は、典型的には、下記第２の発明のように、直円柱形状に形成されるが、四角柱や六角柱などの多角柱形状に形成されてもよい。
【００１６】
第２の発明は、第１の発明において、
各吸着孔が直円柱形状に形成されている。
【００１７】
上記第２の発明では、ドリルによって容易に吸着孔を形成できる。
【００１８】
ここで、上記第２の発明のように吸着孔をドリルによって形成する場合、孔の径が小さければ小さいいほど、また孔が深ければ深いほど、細長いドリルが必要となる。そのため、第１のエリアを除く第２のエリア内に設けられる径の小さな吸着孔を形成する際には、ドリル破損の危険が大きくなる。このような危険を回避するには、例えば、下記第３の発明のように、吸着孔に段差を持たせればよい。
【００１９】
第３の発明は、第２の発明において、
第１のエリアを除く第２のエリア内に設けられている吸着孔が、ドラムの外周面寄りにある第１の直円柱部分と、当該外周面とは反対側の内周面寄りにある第２の直円柱部分とからなり、
第１の直円柱部分は、第１のエリア内に設けられている吸着孔と同じ径を有し、第２の直円柱部分だけが、第１のエリア内に設けられている吸着孔よりも小さな径を有することを特徴とする。
【００２０】
上記第３の発明では、第１のエリアを除く第２のエリア内に設けられている径の小さな吸着孔を形成する際、最初、外周面から所定の深さまで大きな径のドリルで孔を開け、次に、その孔の底面から内周面まで小さな径のドリルでさらに孔を開ければよいので、ドリル破損の危険が少なくなる。そして、こうして形成される段差を持った吸着孔の場合、全体が細長い直円柱形状に形成された吸着孔と比べると、径の細い部分が短いが、洩れ孔になったとき、そこからドラム内に入り込む空気の量にはあまり差がないので、吸着力が低下することもない。
【００２１】
第４の発明は、第１の発明において、
第１のエリアを除く第２のエリア内には、当該第１のエリア内と比べ、より低い密度で吸着孔が設けられていることを特徴とする。
【００２２】
上記第４の発明では、洩れ孔の径が従来より小さいことに加えて、洩れ孔の密度を従来より少なくすることで、ドラム内に入り込む空気の量がさらに少なく抑えられる。そのため、版材がドラムの外周面に吸着される強度がさらに高くなり、その結果、ドラムを高速回転させたとき、版材がドラムの外周面から脱落する危険が大幅に少なくなる。
【００２３】
第５の発明は、第１または第４の発明において、
ドラムの外周面上には、各吸着孔を通過する吸着溝が形成されていることを特徴とする。
【００２４】
上記第５の発明では、吸着溝を形成したことによって、吸着孔からの吸引力が二次元的に拡がる（すなわち、版材が線吸着される）ので、吸着孔のみによる点吸着と比べて版材がより強固に吸着固定され、その結果、版材脱落の危険性がさらに少なくなる。
【００２５】
第６の発明は、ドラムに巻き付けられた版材に二次元画像を記録する円筒外面走査型の画像記録装置に用いられ、版材をドラムの外周面上に吸着固定させるための版材吸着機構であって、
その内部が中空で、その外周面に複数の吸着孔が形成された円筒形状のドラム、および
ドラムの内部から空気を吸引して外部に排出するブロアを備え、
ドラムの外周面上において、
最小サイズの版材が巻き付けられる第１のエリアと、
第１のエリアを包含し、最大サイズの版材が巻き付けられる第２のエリアとが決められており、
第１のエリアを除く第２のエリア内には、当該第１のエリア内と比べ、より低い密度で吸着孔が設けられていることを特徴とする。
【００２６】
上記第６の発明では、最大よりも小さなサイズの版材を用いる場合、版材によって覆われていない吸着孔（洩れ孔）からドラム内に空気が入り込むものの、洩れ孔の数が従来より少ないので、入り込む空気の量が少なく抑えられる。そのため、ブロアの吸引力が従来と同じであっても、ドラムの内外気圧差が大きく保たれ、版材がドラムの外周面に吸着される強度が従来より高くなる。その結果、ドラムを高速回転させたとき、版材がドラムの外周面から脱落する危険が少なくなる。
【００２７】
第７の発明は、円筒形状のドラムを回転させつつ、画像信号で変調されたレーザ光をドラムへ向けて照射する描画部をドラムの回転軸と平行に移動させることにより、ドラムに巻き付けられた版材に二次元画像を記録する円筒外面走査型の画像記録装置であって、
その内部が中空で、その外周面に複数の吸着孔が形成された円筒形状のドラム、
ドラムを回転させるための第１の駆動部、
ドラムの内部から空気を吸引して外部に排出するブロア、
画像信号で変調されたレーザ光をドラムへ向けて照射する描画部、および
描画部をドラムの回転軸と平行に移動させる第２の駆動部を備え、
ドラムの外周面上において、
最小サイズの版材が巻き付けられる第１のエリアと、
第１のエリアを包含し、最大サイズの版材が巻き付けられる第２のエリアとが決められており、
第１のエリアを除く第２のエリア内には、当該第１のエリア内と比べ、径のより小さな吸着孔が設けられていることを特徴とする。
【００２８】
上記第７の発明では、版材をドラムの外周面上に吸着固定させるために、上記第１の発明に係る版材吸着機構を用いている。
【００２９】
第８の発明は、円筒形状のドラムを回転させつつ、画像信号で変調されたレーザ光をドラムへ向けて照射する描画部をドラムの回転軸と平行に移動させることにより、ドラムに巻き付けられた版材に二次元画像を記録する円筒外面走査型の画像記録装置であって、
その内部が中空で、その外周面に複数の吸着孔が形成された円筒形状のドラム、
ドラムを回転させるための第１の駆動部、
ドラムの内部から空気を吸引して外部に排出するブロア、
画像信号で変調されたレーザ光をドラムへ向けて照射する描画部、および
描画部をドラムの回転軸と平行に移動させる第２の駆動部を備え、
ドラムの外周面上において、
最小サイズの版材が巻き付けられる第１のエリアと、
第１のエリアを包含し、最大サイズの版材が巻き付けられる第２のエリアとが決められており、
第１のエリアを除く第２のエリア内には、当該第１のエリア内と比べ、より低い密度で吸着孔が設けられていることを特徴とする。
【００３０】
上記第８の発明では、版材をドラムの外周面上に吸着固定させるために、上記第６の発明に係る版材吸着機構を用いている。
【００３１】
【発明の実施の形態】
以下、本発明の実施の形態について、図面を参照しながら説明する。
図１は、本発明の一実施形態に係る版材吸着機構を用いた円筒外面走査型画像記録装置の全体構成を示す図である。図１に示される画像記録装置は、図６に示される画像記録装置において、ドラム１に代えてドラム１１を備えている。このドラム１１およびその外周面１１ａ以外の各構成要素は、従来と同様であり、図６と同じ参照番号が付されている。
【００３２】
図１において、ドラム１１の外周面１１ａには、シート状の版材２が巻き付けられている。版材２は、典型的にはアルミ板で構成され、表面に感光材料が塗布されている。ドラム１１は、版材２と共に、主走査モータ３によって駆動され、主走査方向Ｘに一定速度で回転される。
【００３３】
ドラム１１において、主走査モータ３と反対側の端部近傍には、ブロア４が取り付けられる。これらドラム１１およびブロア４によって、本発明の一実施形態に係る版材吸着機構が構成される。この版材吸着機構では、ドラム１１の外周面１１ａの版材２が巻かれるエリアに、多数の吸着孔（図示せず）が設けられており、ブロア４がドラム１１内の空気を吸引排出することによってドラム１１の内外で気圧差が生じ、その結果、版材２がドラムの外周面１１ａに吸着固定される。
【００３４】
描画部５は、画像データ１２を受け、その画像データ１２で変調されたレーザ光をドラム１１に向けて出力する。このレーザ光は、ドラム１１の回転によって、その外周面１１ａに巻かれた版材２上を主走査方向Ｘに沿って走査する。また、描画部５は、副走査モータ７により回転駆動される副走査送りネジ８によりレール（図示せず）上を定速移動される。このため、レーザ光は、版材２上を副走査方向Ｙに沿って走査する。従って、版材２上には、主走査方向Ｘおよび副走査方向Ｙに拡がりを有する二次元画像が形成される。こうして画像が形成された版材２を用いて印刷が行われる。以上に説明した本画像記録装置の基本的な構成および動作は、従来と同様である。
【００３５】
上記のように構成された本画像記録装置では、使用可能な版材２の最大サイズおよび最小サイズが決められており、それらの間の任意サイズの版材２に画像を記録することができる。そして、従来問題となっていた、版材２のサイズによって、版材２がドラムの外周面１ａに吸着される強度が不足する問題点を、以下のように解消している。
【００３６】
図２は、図１に示されているドラム１１の外周面１１ａを示す図である。図２において、点線で囲まれたエリア２１は、図７と同様、最大サイズの版材２が巻き付けられる領域であり、エリア２２は、最小サイズの版材２が巻き付けられる領域である。
【００３７】
上記のように構成された本画像記録装置のドラム外周面１１ａでは、図２に示すように、最大サイズの版材２が巻き付けられるエリア２１内に、多数の吸着孔（２３，２３ａ）が設けられている。従って、予め決められた最小サイズから最大サイズまでの範囲内であれば、任意のサイズの版材２をブロア４の吸引力によってドラムの外周面１１ａに固定することができる。この点は、従来の画像記録装置のドラム外周面１ａと同様である。
【００３８】
本画像記録装置のドラム外周面１１ａに固有の、従来の画像記録装置のドラム外周面１ａ（図７参照）にはない特徴は、主として次の（１）および（２）である。
【００３９】
（１）最大サイズの版材２が巻き付けられるエリア２１（ただしエリア２２は除く）内には、最小サイズの版材２が巻き付けられるエリア２２内と比べ、吸着孔２３ａがより低い密度（例えば、エリア２２の３分の２倍程度）で設けられている。すなわち、エリア２２内に従来と同じ密度で吸着孔２３が設けられるとすると、エリア２１（ただしエリア２２は除く）内には、従来よりも低い密度で吸着孔２３ａが設けられることになる。
【００４０】
これにより、最大よりも小さなサイズの版材２を用いる場合、版材２によって覆われていない吸着孔２３ａ（洩れ孔）からドラム１１内に空気が入り込むものの、洩れ孔の数が従来より少ないので、入り込む空気の量が少なく抑えられる。そのため、従来と同じブロア４を用いているにも関わらず、ドラム１１の内外気圧差が大きく保たれ、版材２が外周面１１ａに吸着される強度が従来より高くなる。
【００４１】
（２）最大サイズの版材２が巻き付けられるエリア２１内（ただしエリア２２内は除く）には、最小サイズの版材２が巻き付けられるエリア２２内と比べ、径の小さな吸着孔２３ａが設けられている。すなわち、エリア２２内に従来と同じ径の吸着孔２３が設けられているとすると、エリア２１（ただしエリア２２は除く）内には、従来よりも径の小さい吸着孔２３ａが設けられることになる。
【００４２】
これにより、最大よりも小さなサイズの版材２を用いる場合、版材２によって覆われていない吸着孔２３ａ（洩れ孔）からドラム１１内に空気が入り込むものの、洩れ孔の径が従来より小さいので、入り込む空気の量が少なく抑えられる。そのため、従来と同じブロア４を用いているにも関わらず、ドラム１１の内外気圧差が大きく保たれ、版材２が外周面１１ａに吸着される強度が従来より高くなる。
【００４３】
本版材吸着機構では、上記（１）および（２）の特徴を併せ持つことによって、最大より小さなサイズの版材２を用いたためにドラム外周面１１上に洩れ孔が存在しても、従来と比べて格段に強固な吸着力が得られる。その結果、この機構を用いた円筒外面走査型画像記録装置では、ドラム１１を高速回転させたとき、版材２がドラムの外周面１１ａから脱落する危険が大幅に少なくなる。
【００４４】
上記（１）および（２）以外の特徴としては、ドラムの外周面１１ａに、各吸着孔（２３，２３ａ）を通過する溝（吸着溝２４ａ）が形成されている点が挙げられる。これらの吸着溝２４ａを形成したことによって、各吸着孔（２３，２３ａ）からの吸引力が二次元的に拡がる（すなわち、版材２が線吸着される）ので、吸着孔（２３，２３ａ）のみによる点吸着と比べて、版材２がより強固に吸着固定される。特に、吸着溝２４ａは、最大サイズから最小サイズまでの任意のサイズの版材を効率的に吸着するために、図２に示されているような固有のパターンを有している。これにより、版材脱落の危険性がさらに少なくなる。
【００４５】
ここで、上記（２）で述べた、洩れ孔となり得る吸着孔２３ａの構造の具体例を示す。図３は、図２に示されるエリア２２内に設けられる吸着孔２３の構造例（上面および断面図）である。図４は、図２に示されるエリア２１内（ただしエリア２２内は除く）に設けられる吸着孔２３ａ、つまり洩れ孔となり得る吸着孔２３ａの構造例（上面および断面図）である。図３において、吸着孔２３は、吸着溝２４の幅と概ね同じ径を有する。図４において、吸着孔２３ａは、吸着溝２４の幅よりも小さな径（例えば、吸着溝２４の幅の概ね半分）を有する。
【００４６】
以上では、上記（１）および（２）の２つの特徴を共に持つ版材吸着機構を備えた画像記録装置について説明したが、いずれか１つの特徴を持つだけでも、従来よりも強固な吸着力が得られ、版材脱落の危険が少なくなる効果が得られる。
【００４７】
また、以上の説明では、上記（２）の特徴に関して、エリア２１内（ただしエリア２２内は除く）にはエリア２２内と比べて径の小さな吸着孔２３が設けられているとだけ述べ、これら２種類の吸着孔２３の構造例を図３および図４に示したが、吸着孔２３の形状は、この一例に限られるわけではない。
【００４８】
すなわち、図３および図４の例では、吸着孔２３は直円柱形状を有するが、四角柱や六角柱などの角柱形状としてもよい。しかし、吸着孔２３から入り込む空気の量は、主としてその断面積で決まるので、吸着孔２３を特に角柱形状とする利点はなく、図３および図４のような直円柱形状の吸着孔２３の方が、ドラム外周面１１ａにドリル等で孔を開けるだけで形成できるので、価格面で有利である。
【００４９】
ただし、図４のような吸着孔２３ａをドリルで開ける場合、孔の径が小さければ小さいいほど、また孔が深ければ深いほど、細長いドリルが必要となるので、ドリルが破損する危険が大きくなる。このような危険を回避するには、例えば、図５に示すように、エリア２１内（ただしエリア２２内は除く）に設ける吸着孔２３ａについて、孔を所定の深さで二分して、外周面１１ａ寄りの直円柱部分２３ａＡの径を大きく（例えば吸着溝２４の幅と概ね同一に）、外周面１１ａとは反対の内周面寄りの直円柱部分２３ａＢの径を小さく（例えば吸着溝２４の幅の概ね半分に）することが考えられる。
【００５０】
図５のような段差を持った孔を形成するには、最初、外周面から所定の深さまで大きな径のドリルで孔を開け、次に、その孔の底面から内周面まで小さな径のドリルでさらに孔を開ければよい。そして、この場合、図４の吸着孔２３ａと比べると、径の細い部分が短いが、吸着孔２３から入り込む空気の量は、あまり差がない。なぜなら、吸着孔２３から入り込む空気の量は、主としてその最小断面積で決まるためである。
【００５１】
以上のように、本実施形態よれば、最大よりも小さなサイズの版材２を用いる場合、版材２によって覆われていない吸着孔２３（洩れ孔）からドラム１内に空気が入り込むものの、洩れ孔の数が従来より少なく、しかも、洩れ孔の径が従来より小さいので、入り込む空気の量が大幅に少なく抑えられる。そのため、ブロア４の吸引力が従来と同じであっても、ドラム１の内外気圧差が大きく保たれ、版材２がドラムの外周面１ａに吸着される強度が従来より高くなる。その結果、ドラム１を高速回転させたとき、版材２がドラムの外周面１ａから脱落する危険が格段に少なくなる。
【図面の簡単な説明】
【図１】本発明の一実施形態に係る版材吸着機構を用いた円筒外面走査型画像記録装置の全体構成を示す図である。
【図２】図１に示されているドラム１１の外周面１１ａを示す図である。
【図３】図２に示されるエリア２１内（ただしエリア２２内は除く）に設けられる吸着孔２３、つまり洩れ孔となり得る吸着孔２３の構造例（上面および断面図）である。
【図４】図２に示されるエリア２２内に設けられる吸着孔２３の構造例（上面および断面図）である。
【図５】図２に示されるエリア２１内（ただしエリア２２内は除く）に設けられる吸着孔２３の別の構造例（上面および断面図）である。
【図６】従来の円筒外面走査型画像記録装置の全体構成を示す図である。
【図７】図６に示されるドラムの外周面１ａの展開図である。
【符号の説明】
１１…ドラム
１１ａ…外周面
２…版材
３…主走査モータ
４…ブロア
５…描画部
７…副走査モータ
８…副走査送りネジ
１２…画像データ
２１…最大サイズの版材が巻き付けられるエリア
２２…最小サイズの版材が巻き付けられるエリア
２３…吸着孔
２３ａ…洩れ孔となり得る吸着孔
２３ａＡ，２３ａＢ…直円柱部分
【図１】
0003573277.tif 000002
【図２】
0003573277.tif 000003
【図３】
0003573277.tif 000004
【図４】
0003573277.tif 000005
【図５】
0003573277.tif 000006
【図６】
0003573277.tif 000007
【図７】
0003573277.tif 000008